(57)【特許請求の範囲】
【請求項１】
裏型枠の前方側に、剛性を有する金網よりなる基盤材に接着材を介して自然石が接着してなる自然石接着パネル型枠が複数配設され、
前記各自然石接着パネル型枠が、前記自然石を表面側に向けつつ横方向及び上下方向に並べられると共に、隣接する該各自然石接着パネル型枠同士が連結金具を介して連結され、
前記連結金具が、ナットを備え、該ナットに、前記裏型枠から延びるセパレーターが螺着され、
前記裏型枠と前記各自然石接着型枠との間にコンクリートが打設されている、ことを特徴とするコンクリート構造物。
【請求項２】
剛性を有する金網よりなる基盤材に、接着材を介して自然石が接着してなる、
ことを特徴とする自然石接着パネル型枠。
【請求項３】
請求項２において、
前記自然石が、前記基盤材の表面側を覆うようにして複数設けられている、
ことを特徴とする自然石接着パネル型枠。
【請求項４】
請求項２において、
前記接着材が、前記金網を内包したパネル状接着材層を形成している、
ことを特徴とする自然石接着パネル型枠。
【請求項５】
請求項４において、
前記パネル状接着材層に、型枠連結金具における連結ボルト用インサートナットが埋設されている、
ことを特徴とする自然石接着パネル型枠。
【請求項６】
請求項５において、
前記パネル状接着材層が、四角形状に形成され、
前記インサートナットが、前記パネル状接着材層における対向する一対の辺のうちの一方の辺側において、該一方の辺の延び方向両側部に設けられていると共に、他方の辺側において、該他方の辺の延び方向略中央部に設けられている、
ことを特徴とする自然石接着パネル型枠。
【請求項７】
請求項１〜６のいずれかにおいて、
前記接着材が、エポキシ系接着材からなる、
ことを特徴とする自然石接着パネル型枠。
【請求項８】
請求項１〜７のいずれかにおいて、
前記剛性を有する金網が、溶接金網である、
ことを特徴とする自然石接着パネル型枠。
【請求項９】
土木構築物を構築するに際して、剛性を有する金網よりなる基盤材に接着材を介して自然石が接着される自然石接着パネル型枠を、隣接する同士間において連結する自然石接着パネル型枠用連結金具であって、
隣接する自然石接着パネル型枠を連結するために用いる複数のボルト孔と、裏型枠から延びるセパレーターを螺着するためのナットと、を備えている、
ことを特徴とする自然石接着パネル型枠用連結金具。
【発明の詳細な説明】
【０００１】
【産業上の利用分野】
本発明は、仕上がり面が自然石により構成され景観の優れたコンクリート構造物、そのコンクリート構造物に用いられる自然石接着パネル型枠、コンクリート構造物の構築に際して自然石接着パネル型枠の連結のために用いられる自然石接着パネル型枠用連結金具に関する。
【０００２】
【従来の技術】
従来、表面が自然石で仕上げられたコンクリート構造物を施工するに際しては、型枠を使用して例えば擁壁の如きコンクリート構造物ａを構築し、コンクリートの表面に鏝を使用してモルタルｂを２０〜３０ｍｍの厚さで塗り上げ、同モルタル層に自然石ｃを１つ宛張り合わせていき、このように張り合わせた自然石が崩れないように板ｄ等で固定し、モルタルが固まってから前記板等を取り除いていた（図５参照）。
【０００３】
【発明が解決しようとする課題】
しかしながら、前記従来工法では、コンクリート構造物の仕上げ面に鏝を使用して、モルタルを塗り上げて自然石を１つ宛張り合わせていくため、作業が煩雑で、張り合わせた自然石をモルタルが固まるまで板等で固定しなければならないので作業性が悪く、折角張り合わせた自然石が崩れたり位置ずれを生じるおそれがあり、外観上の点からも問題があった。
【０００４】
本発明は前記従来技術の有する問題点に鑑みて提案されたもので、その目的とする処は、施工性に優れ、自然石の崩れるおそれがなく、仕上がりが自然石のため美しい景観を有するコンクリート構造物が構築されるようにする点にある。
【０００５】
【課題を解決するための手段】
上記目的を達成するために本発明（請求項１に係る発明）にあっては、
裏型枠の前方側に、剛性を有する金網よりなる基盤材に接着材を介して自然石が接着してなる自然石接着パネル型枠が複数配設され、
前記各自然石接着パネル型枠が、前記自然石を表面側に向けつつ横方向及び上下方向に並べられると共に、隣接する該各自然石接着パネル型枠同士が連結金具を介して連結され、
前記連結金具が、ナットを備え、該ナットに、前記裏型枠から延びるセパレーターが螺着され、
前記裏型枠と前記各自然石接着型枠との間にコンクリートが打設されている、ことを特徴とするコンクリート構造物とした構成としてある。
【０００６】
上記目的を達成するために本発明（請求項２に係る発明）にあっては、
剛性を有する金網よりなる基盤材に、接着材を介して自然石が接着してなる、ことを特徴とする自然石接着パネル型枠とした構成としてある。この請求項２の好ましい態様としては、請求項３〜８の記載の通りとなる。
【０００７】
上記目的を達成するために本発明（請求項９に係る発明）にあっては、
土木構築物を構築するに際して、剛性を有する金網よりなる基盤材に接着材を介して自然石が接着される自然石接着パネル型枠を、隣接する同士間において連結する自然石接着パネル型枠用連結金具であって、
隣接する自然石接着パネル型枠を連結するために用いる複数のボルト孔と、裏型枠から延びるセパレーターを螺着するためのナットと、を備えている、
ことを特徴とする自然石接着パネル型枠用連結金具とした構成としてある。
【０００８】
【発明の効果】
請求項１に係る発明によれば、剛性を有する金網よりなる基盤材に接着材を介して自然石を接着して自然石接着パネル型枠が構成され、しかも、その自然石接着パネル型枠が、裏型枠から延びるセパレーター、連結金具を介して該裏型枠に固定されているので、同パネル型枠と裏型枠との間にコンクリートを打設し、前記パネル型枠を埋殺し型枠として使用することによって、施工性がよく、仕上がり面が自然石となることによって自然の景観にマッチした美しい構造物が構築される。
【０００９】
請求項２〜８に係る発明によれば、当該自然石接着パネル型枠を用いて、前記請求項１と同様の作用効果を得ることができる。
【００１０】
特に請求項５に記載された発明によれば、パネル状接着材層に、型枠連結金具における連結ボルト用インサートナットが埋設されていることから、型枠連結金具を介して自然石接着パネル型枠相互を一体化できる。
【００１１】
また、請求項７に係る発明によれば、接着材が、エポキシ系接着材からなることから、自然石に対する接着力が強く、自然石が剥離するおそれがない。
また、素材がエポキシ材のため比重が小さく取扱いが容易で、更に接着力及び圧縮力強度が大きいので、薄くて軽いパネルが構成され、作業性が向上される。
【００１２】
請求項９に係る発明によれば、土木構築物を構築するに際して、剛性を有する金網よりなる基盤材に接着材を介して自然石が接着される自然石接着パネル型枠を、隣接する同士間において連結する自然石接着パネル型枠用連結金具であって、
隣接する自然石接着パネル型枠を連結するために用いる複数のボルト孔と、裏型枠から延びるセパレーターを螺着するためのナットと、を備えていることから、当該自然石接着パネル型枠用連結金具を用いることによって、前記請求項１と同様の作用効果を得ることができる。
【００１３】
【実施例】
以下、本発明の図示の実施例について説明する。
１は剛性を有する溶接金網で、エポキシ系接着材２を介して同溶接金網１に自然石３が一体に接着され、自然石接着パネル型枠Ａが構成されている。更に同パネル型枠Ａにおける接着材２層に型枠連結金具の連結ボルト螺着用のインサートナット４が埋設されている。
【００１４】
而して施工に際しては図４に示す如く、複数の前記パネル型枠Ａの各インサートナット４に、連結金具Ｂに穿設された複数のボルト孔５に貫挿したボルト６を螺着緊締して前記各パネル型枠Ａを一体化し、前記連結金具Ｂに溶接されたナット７を利用して、前記パネル型枠Ａに対向する合板等により構成された裏型枠Ｃに貫挿されたセパレーター８の一端を螺着するとともに、同セパレーター８の裏型枠Ｃに貫通された他端部をワッシャー９及びナット１０を介して緊締して型枠を組立て、コンクリートを打設し、前記型枠Ａを埋め殺すものである。
【００１５】
図中１１は裏型枠Ｃに設けたセパレーター挿貫孔、Ｄは基礎コンクリート、１２はアンカー金具である。
かくして構築されたコンクリート構造物の表面には前記パネル型枠Ａが定着され、同型枠Ａに接着された自然石３によって自然の景観にマッチした美しい景観を呈する構築物が構築される。
【図面の簡単な説明】
【図１】本発明に係る自然石接着パネル型枠の一実施例を示す平面図である。
【図２】前記パネルの側面図である。
【図３】前記パネルの背面図である。
【図４】前記パネル使用状態を示す分解斜視図である。
【図５】従来工法の実施状況を示す縦断面図である。
【符号の説明】
Ａ  自然石接着パネル型枠
Ｂ  連結金具
Ｃ  裏型枠
１  溶接金網
２  エポキシ系接着材
３  自然石
４  インサートナット
５  ボルト孔
６  ボルト
７  ナット
８  セパレーター
１２  アンカー金具
【図１】
0003560661.tif 000002
【図２】
0003560661.tif 000003
【図３】
0003560661.tif 000004
【図４】
0003560661.tif 000005
【図５】
0003560661.tif 000006